(57)【要約】【課題】浮泥のような流動性の高い土壌の調査をより正確に行う。【解決手段】浮泥を調査する際に用いられる器具であって、上面及び下面が開口し、壁板により側面をなす筒体であり、前記壁板で囲まれる領域を前記浮泥の調査場所として規定するべく、前記下面を下方に向けて前記壁板が前記浮泥内に押し込まれる領域規定部材と、前記壁板の一部が前記浮泥内に沈下するのを防止するべく、前記壁板に装着される沈下防止具と、を備えることを特徴とする器具。【選択図】図１
2018072037.tif 000002
【特許請求の範囲】
【請求項１】
浮泥を調査する際に用いられる器具であって、
上面及び下面が開口し、壁板により側面をなす筒体であり、前記壁板で囲まれる領域を前記浮泥の調査場所として規定するべく、前記下面を下方に向けて前記壁板が前記浮泥内に押し込まれる領域規定部材と、
前記壁板の一部が前記浮泥内に沈下するのを防止するべく、前記壁板に装着される沈下防止具と、
を備えることを特徴とする器具。
【請求項２】
請求項１に記載の器具であって、
前記沈下防止具は、前記壁板の上端部における、前記上面の開口を挟んで相対する位置に装着される一対の発泡樹脂である
ことを特徴とする器具。
【請求項３】
請求項１に記載の器具であって、
前記沈下防止具は、前記壁板の上端部における、前記上面の開口を挟んで相対する位置に装着される一対の木材である
ことを特徴とする器具。
【請求項４】
請求項１〜請求項３の何れかに記載の器具であって、
前記領域規定部材は、前記壁板の上端部における、前記上面の開口を挟んで相対する位置に一対の持ち手が装着されてなる
ことを特徴とする器具。
【請求項５】
請求項１〜請求項４のいずれかに記載の器具であって、
前記領域規定部材の前記壁板は、金属製である
ことを特徴とする器具。
【請求項６】
請求項１〜請求項４のいずれかに記載の器具であって、
前記領域規定部材の前記壁板は、樹脂製である
ことを特徴とする器具。
【請求項７】
請求項１〜請求項６のいずれかに記載の器具であって、
前記領域規定部材は、角筒形状である
ことを特徴とする器具。
【発明の詳細な説明】
【技術分野】
【０００１】
本発明は、器具に関する。
【背景技術】
【０００２】
電力会社は、日々、電力設備の敷地内や建設予定地、周辺地域において、様々な環境調査を行っている。そのような調査の一つとして、湿地帯における浮泥の成分や浮泥内の生物の生息状況、水質等の調査を行うことがある。
【０００３】
このような調査を行う場合には、通常、図４に示すようなコドラート１１００を調査対象とする場所に設置する。コドラート１１００を設置することにより、調査場所を明確化し、定量的で客観性の高い調査結果を得ることが期待される。
【０００４】
このようなコドラート１１００に関しては、例えば特許文献１のような技術が開発されている。
【先行技術文献】
【特許文献】
【０００５】
【特許文献１】特開２００６−１１９０５０号公報
【発明の概要】
【発明が解決しようとする課題】
【０００６】
しかしながら、浮泥のような、極めて水分含有量が多く、流動性の高い地盤上にコドラート１１００を設置すると、時間の経過とともにコドラート１１００が浮泥内に沈下してしまい、調査場所が分からなくなってしまうことがある。
【０００７】
また図５に示すように、コドラート１１００により規定される破線で示す調査領域内の浮泥をサンプルとして採取した際に、調査範囲外の浮泥が調査範囲内に流入してしまう場合もある。また浮泥の流動性によりコドラート１１００自体が移動してしまう場合もある。このような場合、浮泥の調査を正確に行うことが困難になる。
【０００８】
本発明は上記課題を鑑みてなされたものであり、浮泥のような流動性の高い土壌の調査をより正確に行うことが可能となる器具を提供することを一つの目的とする。
【課題を解決するための手段】
【０００９】
一つの側面に係る器具は、浮泥を調査する際に用いられる器具であって、上面及び下面が開口し、壁板により側面をなす筒体であり、前記壁板で囲まれる領域を前記浮泥の調査場所として規定するべく、前記下面を下方に向けて前記壁板が前記浮泥内に押し込まれる領域規定部材と、前記壁板の一部が前記浮泥内に沈下するのを防止するべく、前記壁板に装着される沈下防止具と、を備える。
【００１０】
その他、本願が開示する課題、及びその解決方法は、発明を実施するための形態の欄の記載、及び図面の記載等により明らかにされる。
【発明の効果】
【００１１】
本発明によれば、浮泥のような流動性の高い土壌の調査をより正確に行うことが可能となる。
【図面の簡単な説明】
【００１２】
【図１】本実施形態に係るコドラートの全体構成を示す図である。
【図２】本実施形態に係るコドラートにより浮泥の調査領域が規定される様子を示す図である。
【図３】本実施形態に係るコドラートにより規定される調査領域の浮泥を採取する様子を説明するための図である。
【図４】本実施形態とは異なるコドラートを示す図である。
【図５】本実施形態とは異なるコドラートにより規定される調査領域の浮泥を採取する様子を説明するための図である。
【発明を実施するための形態】
【００１３】
本明細書および添付図面の記載により、少なくとも以下の事項が明らかとなる。
【００１４】
図１に、本発明の実施形態に係るコドラート１０００の全体構成図を示す。また図２に、コドラート１０００によって浮泥Ｇの調査領域３００が規定される様子を示す。また図３に、コドラート１０００によって規定される調査領域３００から浮泥Ｇを採取する様子を示す。
【００１５】
なお、図１〜図３において、コドラート１０００に設けられる一対の持ち手１２０（後述）が向かい合う方向をｘ軸方向とし、一対の沈下防止具２００（後述）が向かい合う方向をｙ軸方向とし、鉛直方向をｚ軸方向とする。
【００１６】
本実施形態に係るコドラート１０００は、浮泥のような水分含有量の比較的多い土壌の調査に好適に用いられる筒状の器具であり、コドラート１０００で囲まれる領域を調査領域３００として規定する。
【００１７】
本実施形態に係るコドラート１０００は、図１に示すように、領域規定部材１００と、沈下防止具２００と、を有して構成される。
【００１８】
領域規定部材１００は、上面及び下面が開口し、壁板１１０により側面をなす筒状の部材である。そして領域規定部材１００の開口する下面を下方（−ｚ軸方向）に向けて、浮泥Ｇ内に壁板１１０が押し込まれることにより、壁板１１０で囲まれる領域が調査領域３００として規定される。
【００１９】
壁板１１０によって調査領域３００が規定される様子を図２及び図３に示す。図２において調査領域３００は斜線で示されている。調査員は、このようにして規定される調査領域３００内の浮泥Ｇの調査を行う。
【００２０】
なおこのとき、浮泥Ｇは通常の土壌に比べて水分含有量が多いため、浮泥Ｇにコドラート１０００を設置した際に、コドラート１０００が時間の経過とともに徐々に浮泥Ｇ内に沈下してしまう可能性がある。そうなると、調査員はコドラート１０００を見失い、調査領域３００が分からなくなってしまう。
【００２１】
そのため本実施形態に係るコドラート１０００は、壁板１１０の一部が浮泥Ｇ内に沈下するのを防止するために、壁板１１０に沈下防止具２００を装着している。例えば、コドラート１０００は、壁板１１０の上端部１１１が浮泥Ｇ内に沈下するのを防止するために、壁板１１０の上端部１１１に沈下防止具２００を装着している。
【００２２】
このような態様により、浮泥Ｇにコドラート１０００を設置した際に、コドラート１０００が浮泥Ｇ内に沈下しそうになったとしても、沈下防止具２００が浮きとして機能し、コドラート１０００の沈下を防ぐことができる。
【００２３】
また沈下防止具２００は、例えば発泡スチロールのような発泡樹脂、あるいは木材等の浮泥Ｇに浮く材料により構成すると良い。発泡樹脂を用いた場合には、沈下防止具２００を安価に構成できると共に、コドラート１０００の軽量化を図ることもできる。そのため、新しい沈下防止具２００に交換することも容易にでき、メンテナンス性も向上できる。一方、木材により沈下防止具２００を構成した場合には、耐久性に優れたコドラート１０００を実現できる。
【００２４】
またコドラート１０００は、図１〜図３に示すように、領域規定部材１００の相対する壁板１１０にそれぞれ沈下防止具２００を設けると良い。具体的には、コドラート１０００は、壁板１１０の上端部１１１における、領域規定部材１００の上面の開口を挟んで相対する位置にそれぞれ沈下防止具２００を設けると良い。このように、一対の沈下防止具２００を領域規定部材１００の上面の開口を挟んで相対する位置に装着しておくことによって、沈下防止具２００がコドラート１０００の沈下を防ぐ際に、コドラート１０００の姿勢を安定的に維持することが可能となる。
【００２５】
さらに、本実施形態に係るコドラート１０００は、図１に示すように、壁板１１０の上端部１１１における、領域規定部材１００の上面の開口を挟んで相対する位置に一対の持ち手１２０が設けられている。このような態様によって、浮泥Ｇ内へのコドラート１０００の押し込み作業や浮泥Ｇからのコドラート１０００の引き抜き作業を容易に行うことが可能となる。
【００２６】
なお、上述した領域規定部材１００の壁板１１０は、金属製あるいは樹脂製の板材により構成すると良い。このような態様により、領域規定部材１１０の剛性を高めることができ、壁板１１０により規定される調査領域３００の境界面を鉛直方向に直線状に規定することが可能となる。
【００２７】
なお、壁板１１０を金属板を用いて構成した場合には、樹脂板を用いて構成した場合に比べ、壁板１１０の板厚をより薄くすることができ、コドラート１０００を浮泥Ｇに押し込む際の抵抗力を低減することが可能となる。
【００２８】
さらに、金属板に土砂は通さないが水分は通す程度の大きさの通水孔あるいはメッシュ構造を設けておくこともできる。このような態様により、長期間に亘ってコドラート１０００を浮泥Ｇ内に設置して調査を行う場合であっても、調査領域３００における生物の生育環境の劣化を防止することが可能となる。
【００２９】
一方、壁板１１０をアクリル等の樹脂板を用いて構成した場合には、金属板を用いて構成した場合に比べ、コドラート１０００の軽量化を図ることが可能となる。また壁板１１０が錆びることも防ぐことができる。また透明の樹脂板を用いる場合には壁板１１０を透明化でき、コドラート１０００内の浮泥Ｇを取り除いた際に、調査領域３００の周囲の浮泥Ｇの様子を壁板１１０を通して観察することも可能となる。
【００３０】
また領域規定部材１００は、角筒形状にすると良い。これにより、調査領域３００の形状を方形に定めることができる。もちろん領域規定部材１００は、調査内容や調査目的に応じて、四角筒に限らずに三角筒や六角筒などの多角筒形状にすることもできるし、円筒形状にすることもできる。
【００３１】
なお、領域規定部材１００は、浮泥Ｇの調査内容や調査目的に応じて適切なサイズ及び形状のものを用いることができるが、例えば四角筒形状の場合において、ｘ軸方向及びｙ軸方向のサイズをそれぞれ10cm乃至25cm程度、z軸方向のサイズを10cm程度に定めると良い。
【００３２】
このようなサイズであれば、コドラート１０００の持ち運びが容易であり、足場の不安定な浮泥Ｇへコドラート１０００を搬入する際にも作業の安全性が確保できる。
【００３３】
上述したように、本実施形態に係るコドラート１０００は、壁板１１０が側面をなす筒体である。そのため、図３に示すように、調査領域３００内の浮泥Ｇを例えばサンプルとして採取するために除去した場合であっても、調査領域３００の周囲の浮泥Ｇが調査領域３００内に流入してくるのを防止することができる。このため、コドラート１０００によって定めた調査領域３００内のみの浮泥Ｇに対して調査を行うことが可能となるため、より正確で客観的な調査を行うことが可能となる。
【００３４】
また浮泥Ｇは流動性を有しているが、浮泥Ｇ内に押し込まれた壁板１１０が浮泥Ｇの変位を抑制するように作用するため、コドラート１０００を移動しにくくすることができる。このため、調査領域３００の位置ずれが防止でき、より正確で客観的な浮泥Ｇの調査を行うことが可能となる。
【００３５】
以上、本実施形態に係るコドラート１０００について説明したが、本実施形態に係るコドラート１０００によれば、浮泥Ｇのような流動性の高い土壌の調査をより正確に行うことが可能となる。
【００３６】
なお上述した実施の形態は本発明の理解を容易にするためのものであり、本発明を限定して解釈するためのものではない。本発明はその趣旨を逸脱することなく変更、改良され得るとともに、本発明にはその等価物も含まれる。
【符号の説明】
【００３７】
１００    領域規定部材
１１０    壁板
１１１    上端部
１２０    持ち手
２００    沈下防止具
３００    調査領域
１０００  コドラート
１１００  コドラート
Ｇ        浮泥
【図１】
2018072037.tif 000003
【図２】
2018072037.tif 000004
【図３】
2018072037.tif 000005
【図４】
2018072037.tif 000006
【図５】
2018072037.tif 000007